(57)【要約】【課題】滑らかな筆感を得ることができるボールペンチップを簡単な構造で提供する。【解決手段】本発明は、チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持してなるボールペンチップにおいて、前記チップ本体の外壁の軸方向で異なる位置に、窪み部を複数個、形成するとともに、前記窪み部が、周方向に非連続的に形成してあることを特徴とする。【選択図】図２
2011093098.tif 000002
【特許請求の範囲】
【請求項１】
チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持してなるボールペンチップにおいて、前記チップ本体の外壁の軸方向で異なる位置に、窪み部を複数個、形成するとともに、前記窪み部が、周方向に非連続的に形成してあることを特徴とするボールペンチップ。
【請求項２】
前記軸方向で隣接する窪み部が、軸方向で、前記一方の窪み部の非連続部に前記他方の窪み部が位置するように、周方向の異なる位置に形成したことを特徴とする請求項１に記載のボールペンチップ。
【請求項３】
チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持してなるボールペンチップにおいて、前記チップ本体の外壁に、螺旋状の窪み部を形成してあることを特徴とするボールペンチップ。
【請求項４】
前記チップ本体が、樹脂製であることを特徴とする請求項１ないし３の何れか１項に記載のボールペンチップ。
【発明の詳細な説明】
【技術分野】
【０００１】
本発明は、チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持してなるボールペンチップに関する。
【背景技術】
【０００２】
従来から、チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持してなるボールペンチップは、よく知られている。
【０００３】
また、特公昭６３−２３９１９号公報「ボールペンチップ」や特開平１０−２９７１５９号公報「ボールペン用樹脂チップの製造方法並びにボールかしめ工具」等、ボールペンチップのチップ本体を樹脂製としたボールペンチップもよく知られている。こうした樹脂製のボールペンチップは、金属製のボールペンチップに比べて、耐摩耗性は劣るものの、滑らかな筆感が得られると考えられる。
【先行技術文献】
【特許文献】
【０００４】
【特許文献１】特公昭６３−２３９１９号公報
【特許文献２】特開平１０−２９７１５９号公報
【発明の開示】
【発明が解決しようとする課題】
【０００５】
ところで、本発明者は、特許文献１、２のような、樹脂製のボールペンチップにおける滑らかな筆感について鋭意研究した結果、樹脂製のボールペンチップは、筆記時における紙面とボールとの接触抵抗時の振動をチップ本体が吸収することも、筆感の向上の要因であると考えられる。
【０００６】
本発明の目的は、滑らかな筆感を得ることができるボールペンチップを簡単な構造で提供することにある。
【課題を解決するための手段】
【０００７】
上記目的を達成するために、本発明は、チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持してなるボールペンチップにおいて、前記チップ本体の外壁の軸方向で異なる位置に、窪み部を複数個、形成するとともに、前記窪み部が、周方向に非連続的に形成してあることを特徴とする。
【０００８】
また、前記軸方向で隣接する窪み部が、軸方向で、前記一方の窪み部の非連続部に前記他方の窪み部が位置するように、周方向の異なる位置に形成したことを特徴とする。
【０００９】
また、チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持してなるボールペンチップにおいて、前記チップ本体の外壁に、螺旋状の窪み部を形成してあることを特徴とする。
【００１０】
さらにまた、前記チップ本体が、樹脂製であることを特徴とする。
【００１１】
本願発明の構成によれば、前記チップ本体の外壁の軸方向で異なる位置に、窪み部を複数個、形成しているので、筆記時において、ボールとチップ本体及び筆記時における紙面とボールとの接触抵抗時の振動を、窪み部によるチップ本体の撓みによって吸収して滑らかな筆感を得ることができる。
【００１２】
また、前記窪み部が、周方向に非連続的に形成することにより、窪み部を形成することによるボールペンチップの強度の低下を抑制するとともに、軸方向で異なる位置に窪み部を形成しているため、チップ先端部で発生した振動を広範囲にて、効率的に振動を吸収する効果を奏する。
【００１３】
また、前記軸方向で隣接する窪み部が、軸方向で、前記一方の窪み部の非連続部に前記他方の窪み部が位置するように、周方向の異なる位置に形成することで、多方向において振動を吸収しやすい効果を奏する。
【００１４】
また、本願発明の構成によれば、前記窪み部を螺旋状に形成することにより、窪み部によるチップ本体の撓みによってチップ先端部の振動をチップ先端部側からチップ後端部側に向かって、効率的に振動を吸収し、さらに、振動を多方向にて吸収することができる。
【００１５】
本発明のボールペンチップは、ステンレス、アルミニウム、真鍮等の金属製やポリアセタール樹脂、ポリエチレンテレフタレート樹脂、ポリブチレンテレフタレート樹脂、エポキシ樹脂、ポリカーボネート樹脂等の樹脂製等、特に限定されるものではないが、チップ本体を樹脂製とすることで、材質による固有振動が低く、高い振動吸収も期待できるため、樹脂製とすることが最も好ましい。
【００１６】
また、本発明のボールペンチップは、ボールを被膜する保護用樹脂被膜を、窪み部を覆うように付着することで、保護用樹脂被覆を回転することによって、簡単に取り外すことができる。
【００１７】
さらにまた、窪み部に、ボールペン用インキと同色のインキ色表示部を設けることによって、出没時等、外部と接触にくく、経時によってインキ色表示部が剥がれ落ちにくい効果を奏する。
【発明の効果】
【００１８】
本発明は、滑らかな筆感を得ることができるボールペンチップを簡単な構造で提供することができた。
【図面の簡単な説明】
【００１９】
【図１】実施例１のボールペンチップを示す、一部省略した要部縦断面図である。
【図２】図１における外観図である。
【図３】実施例２のボールペンチップを示す、一部省略した要部外観図である。
【発明を実施するための最良の形態】
【００２０】
次に図面を参照しながら、本発明のボールペンの実施形態を説明するが、本発明は以下の実施形態に限定されるものではない。
【００２１】
実施例１
図１、図２に示す実施例１のボールペンチップ１は、ポリアセタール樹脂からなるチップ本体２のボール抱持室４にインキ流通孔６と、放射状に延びたインキ流通溝７を有し、ボール抱持室４の底壁５に、ボール９を載置し、チップ先端部３のチップ先端縁３ａを内側にかしめることにより、ボール９の一部がチップ先端縁３ａより突出するように回転自在に抱持している。また、ボール９の後端に、ボール９をチップ先端縁３ａの内壁に常に押圧するコイルスプリング１０を配設してある。
【００２２】
また、チップ先端部３は、チップ先端縁３ａに向かって徐々に縮径する略裁頭円錐形状に形成してあり、このチップ先端部３の外壁に、周方向に延び、非円周上の窪み部８を軸心Ｊ方向の異なる位置に複数本、具体的には１０本形成してある。また、軸心Ｊ方向に隣接する窪み部８は、軸心Ｊ方向で、一方の窪み部８の非連続部８ａに、他方の窪み部８が位置し、周方向で交差するように形成してある。
【００２３】
筆記時には、ボール９がボールペン用インキを介在して紙面（図示せず）と接触して回転する。この時、ボール９と紙面及びボール９と底壁５との回転抵抗によって振動が発生するが、チップ本体２の窪み部８によるチップ先端部３の撓みによって発生した振動を吸収するため、滑らかな筆感を得ることができる。
【００２４】
また、窪み部８の非連続部８ａによって、チップ本体２の強度の低下を抑制するとともに、チップ先端部の広範囲で振動を吸収するので、効率的に振動吸収することができる。また、窪み部８、８’を周方向で交差するように形成することで、振動吸収性が高めることができる。
【００２５】
実施例２
図３に示す実施例２のボールペンチップ２１は、ポリアセタール樹脂からなるチップ本体２２のチップ先端部２３の外壁に、螺旋状の窪み部２８を形成した以外は、実施例１と同様にしてボールペンチップ２１を得ている。
【００２６】
また、発生した振動は、チップ先端部２３に形成した螺旋状の窪み部２８によるチップ先端部２３の撓みによって、チップ先端部２３の広範囲で振動を吸収するので、効率的に振動吸収することができる。
【００２７】
尚、窪み部の形状や大きさ、形成位置は特に限定されないが、ボールとチップ本体及び筆記時における紙面とボールとの接触抵抗時の振動を吸収するため、ボールに近い位置であるチップ先端部に形成することが最も好ましい。また、周方向に複数個、窪み部を形成してもよい。
【産業上の利用可能性】
【００２８】
本発明のボールペンチップは、インキの種類に限定されることなく、ボールペンとして広く実施可能である。
【符号の説明】
【００２９】
１、２１  ボールペンチップ
２、２２  チップ本体
３、２３  チップ先端部
３ａ、２３ａ  チップ先端縁
４  ボール抱持室
５  インキ流通孔
６  放射状溝
７  底壁
８、２８  窪み部
８ａ  非連続部
９、２９  ボール
【図１】
2011093098.tif 000003
【図２】
2011093098.tif 000004
【図３】
2011093098.tif 000005